(57)【要約】【課題】電源回路からの電力を交流変換してトランスを介して２次側に供給する電源装置において、大きな制御容量の電源スイッチを使用せず追加の回路にコストをかけずに、起動時間を短縮しつつ待機電力を低く抑える。【解決手段】電源装置１００は、交流電源に接続され交流を直流に変換する電源回路（全波整流ダイオードＤ４で例示）と、その電源回路からの電力を交流変換しトランスＴ１を介して２次側に供給する制御を行う電源供給制御回路（電源起動・停止回路１１０及び電源制御回路ＩＣ１で例示）と、を備える。電源装置１００は、上記交流電源により充電されるコンデンサＣ３と、コンデンサＣ３の電力により上記電源供給制御回路をオン状態にする１次側と２次側との間にまたがるフォトカプラＰＣ２と、フォトカプラＰＣ２とコンデンサＣ３との間に接続され、オン操作によりフォトカプラＰＣ２をオン状態にする電源起動スイッチＳＷ１と、を２次側に備える。【選択図】図１
2015188287.tif 000002
【特許請求の範囲】
【請求項１】
交流電源に接続され交流を直流に変換する電源回路と、該電源回路からの電力を交流変換しトランスを介して２次側に供給する制御を行う電源供給制御回路と、を備えた電源装置であって、
前記交流電源により充電されるコンデンサと、該コンデンサの電力によって前記電源供給制御回路をオン状態にする１次側と前記２次側との間にまたがるフォトカプラと、該フォトカプラと前記コンデンサとの間に接続され、オン操作により前記フォトカプラをオン状態にする電源起動スイッチと、を前記２次側に備えたことを特徴とする電源装置。
【請求項２】
前記交流電源に接続されたＹコンデンサをさらに備え、該Ｙコンデンサの漏れ電流により前記コンデンサを充電することを特徴とする請求項１に記載の電源装置。
【請求項３】
オン状態にすることで、前記電源供給制御回路をオフ状態にする他のフォトカプラをさらに備えたことを特徴とする請求項１又は２に記載の電源装置。
【請求項４】
請求項１〜３のいずれか１項に記載の電源装置を備えたテレビ装置。
【請求項５】
請求項１〜３のいずれか１項に記載の電源装置を備えた電子機器。
【発明の詳細な説明】
【技術分野】
【０００１】
本発明は、電源装置、テレビ装置、及び電子機器に関し、より詳細には、電源回路からの電力を交流変換してトランスを介して２次側に供給する電源装置、並びにその電源装置を備えたテレビ装置及び電子機器に関する。
【背景技術】
【０００２】
従来から、電気機器の待機時電力を削減するための方法として、待機専用コンバータを設ける方法や、或いは待機時に間欠発振モードになる電源ＩＣ（Integrated Circuit）等を設ける方法が採用されている。
【０００３】
しかしながら、これらの方法による電力削減には限界があり、待機電力を限りなく０ワットに近づけることが困難であった。また、待機電力を０ワット相当とするために、複雑な回路構成を採用することも考えられるが、コストが嵩んでしまう。
【０００４】
この課題を解決する技術として、特許文献１には、トランスを介した２次側の主回路に接続され且つバックアップ電力が必要な補助回路に対してバックアップ電力を供給する補助電源回路を設けた電源回路において、その補助電源回路には認定コンデンサを使用してバックアップ電力を供給する技術が開示されている。
【０００５】
また、従来の電源回路には、トランスの２次側に大容量コンデンサを設け、その大容量コンデンサに充電された電力により、１次側の電源を起動させる方式を採用したものもある。
【先行技術文献】
【特許文献】
【０００６】
【特許文献１】特開平１１−２９６２３５号公報
【発明の概要】
【発明が解決しようとする課題】
【０００７】
しかしながら、特許文献１に記載の技術では、電子機器内の情報をバックアップするための補助回路を常に動作させる必要があり、補助回路のための所定の電力が必要である。そのため、２次側に電力を供給するために大容量の認定コンデンサを使用する必要がある。しかし、１次側から２次側に漏洩する電流（漏洩電流）がコンデンサの容量と入力電圧の大きさに比例して増加することから、コンデンサの容量が大きすぎると、機器の安全規格で定められた漏洩電流値を超えてしまう。そのため、この技術では、その漏洩電流値を超えない程度の大容量のコンデンサを使用することしかできず、充分なバックアップ電力を供給することができなくなる。
【０００８】
また、この技術は、ＡＣ電源に接続された電源スイッチがオフとなった場合において２次側に電力を供給するためのものであり、電源スイッチがオフの場合には、電源装置の１次側回路には通電がなく、電源スイッチをオンにしてから電源起動（２次側出力の立上り）までに時間がかかる課題がある。さらに、この電源スイッチは、安全規格認可品を使用する必要があり、コストが高く、構造上基板上に占有するスペースが大きく、且つ基板上での配置に配慮が必要となる。
【０００９】
また、２次側の大容量コンデンサの電力で１次側の電源を起動させる技術では、コスト高のコンデンサを使用しなければならず、常時充電を行うための電源回路が必要となり、待機電力、コスト的には有利とは言えない。
【００１０】
本発明は、上述のような実状に鑑みてなされたものであり、その目的は、電源回路からの電力を交流変換してトランスを介して２次側に供給する電源装置において、大きな制御容量の電源スイッチを使用せず且つ追加の回路にコストをかけずに、起動時間を短縮しつつ待機電力を低く抑えること、並びにそのような電源装置を備えたテレビ装置、電子機器を提供することにある。
【課題を解決するための手段】
【００１１】
上記の課題を解決するために、本発明の第１の技術手段は、交流電源に接続され交流を直流に変換する電源回路と、該電源回路からの電力を交流変換しトランスを介して２次側に供給する制御を行う電源供給制御回路と、を備えた電源装置であって、前記交流電源により充電されるコンデンサと、該コンデンサの電力によって前記電源供給制御回路をオン状態にする１次側と前記２次側との間にまたがるフォトカプラと、該フォトカプラと前記コンデンサとの間に接続され、オン操作により前記フォトカプラをオン状態にする電源起動スイッチと、を前記２次側に備えたことを特徴としたものである。
【００１２】
本発明の第２の技術手段は、第１の技術手段において、前記交流電源に接続されたＹコンデンサをさらに備え、該Ｙコンデンサの漏れ電流により前記コンデンサを充電することを特徴としたものである。
【００１３】
本発明の第３の技術手段は、第１又は第２の技術手段において、オン状態にすることで、前記電源供給制御回路をオフ状態にする他のフォトカプラをさらに備えたことを特徴としたものである。
【００１４】
本発明の第４の技術手段は、第１〜第３のいずれか１の技術手段における電源装置を備えたテレビ装置である。
本発明の第５の技術手段は、第１〜第３のいずれか１の技術手段における電源装置を備えた電子機器である。
【発明の効果】
【００１５】
本発明によれば、電源回路からの電力を交流変換してトランスを介して２次側に供給する電源装置において、大きな制御容量の電源スイッチを使用せず且つ追加の回路にコストをかけずに、起動時間を短縮しつつ待機電力を低く抑えることができる。また、本発明によれば、そのような電源装置を備えたテレビ装置や電子機器を提供することができる。
【図面の簡単な説明】
【００１６】
【図１】本発明の第１の実施形態に係る電源装置の一構成例を示す回路図である。
【図２】本発明による効果を説明するための回路図である。
【図３】図１の電源装置における主に電源起動・停止回路の部分の一構成例を示す回路図である。
【図４】図１の電源装置における主に電源起動・停止回路の詳細な構成例を示す回路図である。
【発明を実施するための形態】
【００１７】
以下、本発明に係る電源装置の様々な実施形態について、図面を参照しながら説明する。この電源装置は、待機時から起動するための回路に特徴を有するものであり、テレビ装置、レコーダ機器など様々な電子機器に組み込むことが可能である。
【００１８】
（第１の実施形態）
本発明の第１の実施形態に係る電源装置について、図１及び図２を参照しながら説明する。図１は、本発明の第１の実施形態に係る電源装置の一構成例を示す回路図で、図２は、本発明による効果を説明するための回路図である。
【００１９】
図１に示すように、本実施形態に係る電源装置１００は、交流電源ＡＣ１に接続され交流を直流に変換する電源回路と、その電源回路からの電力を交流変換しトランス（変圧器）Ｔ１を介して２次側に供給する制御を行う電源供給制御回路と、を備えている。
【００２０】
交流電源ＡＣ１としては、例えば１００Ｖ等の商用電源が挙げられる。上記電源回路は、図１で示すように、例えば全波整流ダイオードＤ４（及び平滑コンデンサＣ４）で構成することができる。全波整流ダイオードＤ４としては、例えばダイオードブリッジによる全波整流を行うブリッジ形のものが挙げられる。
【００２１】
上記電源供給制御回路は、図１で示すように、後述する電源制御回路ＩＣ１及び電源起動・停止回路１１０で構成することができる。無論、上記電源回路や上記電源供給制御回路の構成は例示するものに限ったものではなく、それらの機能を果たす構成であればよい。
【００２２】
また、図１では、電源装置１００で電力を供給する対象となる回路の一例として制御用のマイクロコンピュータ（以下、マイコンと言う）ＩＣ２を、例に挙げている。つまり、マイコンＩＣ２は、電源装置１００を組み込む電子機器を制御する制御部の一例である。マイコンＩＣ２は、待機時には電源装置１００からの電力が供給されておらず停止しており、電力供給時にその電子機器が有する機能を実行させる制御を行う。
【００２３】
そして、本発明の主たる特徴として、電源装置１００は、交流電源ＡＣ１により充電されるコンデンサＣ３と、コンデンサＣ３の電力によって上記電源供給制御回路をオン状態にするフォトカプラＰＣ２と、電源起動スイッチＳＷ１と、を２次側に備えている。
【００２４】
電源起動スイッチＳＷ１は、フォトカプラＰＣ２とコンデンサＣ３との間に接続され、オン操作によりフォトカプラＰＣ２をオン状態にするスイッチである。電源起動スイッチＳＷ１は、待機状態からこの電源装置１００を組み込んだ電子機器（マイコンＩＣ２を含む）を起動するためのスイッチである。
【００２５】
フォトカプラＰＣ２は、１次側と２次側との間にまたがるフォトカプラであり、電源起動スイッチＳＷ１をオン操作することでオン状態になり、これによりコンデンサＣ３に充電された電荷は電源起動・停止回路１１０に信号（動作起動信号と呼ぶ）として伝送される。図１の例では、コンデンサＣ３に定電圧ダイオードＤ３が接続され、コンデンサＣ３の電圧が上昇し過ぎないようになっている。
【００２６】
フォトカプラＰＣ２をオン状態にし電源起動・停止回路１１０を動作させるためには、その定格にもよるが、例えば１〜５ｍＡ程度の電流を１００ｎｓｅｃ程度以上の時間流すことが必要であり、コンデンサＣ３の容量やオン操作と認識する時間はそれによって決定しておけばよい。
【００２７】
また、電源起動スイッチＳＷ１は２次側にあり、その制御容量はコンデンサＣ３の容量に基づいて決定すればよいため、小さくできる。例えば、電源起動スイッチＳＷ１で扱う電圧は５Ｖ程度で済み、そのため、通常のプッシュスイッチを問題なく採用できる。
【００２８】
電源起動・停止回路１１０は、このフォトカプラＰＣ２からの動作起動信号を受けて、電源制御回路ＩＣ１に電源起動信号を送信する。電源制御回路ＩＣ１は、上記電源起動信号を受けて起動する。このように、コンデンサＣ３は、１次側において起動に用いる回路（１次側の起動回路）を動作させるために用いられる。そして、電源制御回路ＩＣ１は、起動することで、トランスＴ１を介してマイコンＩＣ２に電力を供給する。
【００２９】
また、電源装置１００は、他のフォトカプラＰＣ１を備えることが好ましい。このフォトカプラＰＣ１は、１次側と２次側との間にまたがるフォトカプラであり、オン状態にすることで、上記電源供給制御回路をオフ状態にするためのものである。フォトカプラＰＣ１をオン状態にする際には、例えば別途設けた電源停止スイッチの押下操作によりマイコンＩＣ２から信号（動作停止信号と呼ぶ）を発し、その動作停止信号に従ってフォトカプラＰＣ１をオン状態にすればよい。無論、動作停止信号は、マイコンＩＣ２以外の回路（図示せず）から発し、その動作停止信号に従ってフォトカプラＰＣ１をオン状態にしてもよい。
【００３０】
電源起動・停止回路１１０は、このフォトカプラＰＣ１からの動作停止信号を受けて、電源制御回路ＩＣ１に電源停止信号を送信する。上記電源停止信号を受けて、電源制御回路ＩＣ１への電力が遮断され、電源制御回路ＩＣ１が停止し、トランスＴ１を介したマイコンＩＣ２への電力供給が停止される。このように、電源停止のためにフォトカプラＰＣ１を設けることにより、電源オフ操作時の消費電力を低減することができる。
【００３１】
また、フォトカプラＰＣ１，ＰＣ２はいずれも、内部の発光素子（発光ダイオード等）が２次側からの電気信号を光に変換し、内部の受光素子（トランジスタ等）がその光を受けて電気信号に変換して出力する。受光素子がトランジスタの場合、それがオン状態になる。このように、フォトカプラＰＣ１，ＰＣ２はいずれも光により制御されるため、１次側と２次側を絶縁することができる。
【００３２】
以下、電源装置１００の詳細について説明する。
まず、電源装置１００におけるコンデンサＣ３への充電方法について説明する。電源装置１００は、交流電源ＡＣ１に接続されたＹコンデンサＣ１，Ｃ２を備え、ＹコンデンサＣ１，Ｃ２の漏れ（リーク）電流によりコンデンサＣ３を充電するように構成されている。Ｙコンデンサは、通常、ＥＭＩ（Electro-Magnetic Interference）対策に用いられるが、電源装置１００では、そのＥＭＩ対策に用いたＹコンデンサＣ１，Ｃ２を利用して、コンデンサＣ３を充電するようにしている。
【００３３】
図１では、コンデンサＣ１とコンデンサＣ２に直列されたダイオードＤ１との間を、抵抗Ｒ１、半波整流ダイオードＤ２、及びコンデンサＣ３を介してフレーム接続することで、Ｙコンデンサとして機能させた例を挙げている。これにより、ＹコンデンサＣ１，Ｃ２からの漏れ電流を半波整流ダイオードＤ２で整流し、コンデンサＣ３に充電している。
【００３４】
なお、Ｙコンデンサを構成するコンデンサＣ１とコンデンサＣ２との間のフレーム接続又は接地の例はこれに限ったものではない。また、コンデンサＣ１，Ｃ２は少容量で足りるためセラミックコンデンサを用いればよいが、安全規格上要求される条件を満たす認定コンデンサであればよい。なお、ダイオードＤ５については、後述する第２の実施形態で説明する。
【００３５】
また、ＹコンデンサＣ１，Ｃ２を設けた例を挙げているが、Ｙコンデンサでなくても、待機時において交流電源ＡＣ１から間接的にコンデンサＣ３を充電できるような回路構成になっていればよい。また、コンデンサＣ３への充電は、１次側、２次側のどちら側から行うような構成であってもよい。無論、ＹコンデンサＣ１，Ｃ２を設けない構成であっても、コンデンサＣ３を用いて起動することに変わりはないため、特許文献１に記載の技術に比べて起動時間を短縮することができると言える。
【００３６】
次に、電源起動・停止回路１１０及び電源制御回路ＩＣ１について説明する。
電源起動・停止回路１１０は、上述のようにフォトカプラＰＣ２からの信号、フォトカプラＰＣ１からの信号に応じて、それぞれ電源制御回路ＩＣ１にそれぞれ起動、停止を指示する回路である。端子ａは、電源起動・停止回路１１０への電源電力入力端子である。端子ｂ，ｃは、フォトカプラＰＣ１に接続された端子であり、電源をオフするための信号の入力端子である。端子ｄ，ｅは、フォトカプラＰＣ２に接続された端子であり、電源をオンするための信号の入力端子である。
【００３７】
端子ｆは、電源制御回路ＩＣ１への電力供給端子である。端子ｇは、１次側グランド用の端子である。電源起動・停止回路１１０では、端子ｆからの電源制御回路ＩＣ１への電力供給状態がフォトカプラＰＣ２，ＰＣ１からの信号が停止した後も保持される構造となっている。端子ｈは、電源制御回路ＩＣ１の動作時に電源制御回路ＩＣ１用の電力を入力するための電源電力入力端子であり、トランスＴ１のコイルで生成された電力が入力される。
【００３８】
電源制御回路ＩＣ１は、直流電力を交流電力に変換して電源制御を行うＩＣである。端子ｍは電源制御回路ＩＣ１の電源端子（Ｖｃｃ）、端子ｊは１次側グランド用の端子、端子ｋはＰＷＭスイッチング端子である。電源制御回路ＩＣ１は、例えばＰＷＭ（Pulse Width Modulation）により電源制御回路ＩＣ１内のＦＥＴ（Field effect transistor）をスイッチングすることで、全波整流ダイオードＤ４で整流された電圧をスイッチングして所定の交流パルスに変換する。この所定の交流パルスは、トランスＴ１によって変圧などがなされ、一部は電源制御回路ＩＣ１の電源となり、他の一部はマイコンＩＣ２の電源として使用される。
【００３９】
このような交流パルスのトランスＴ１への入力及びマイコンＩＣ２への電圧印加について説明する。トランスＴ１は、交流電源ＡＣ１側を１次側、上記電子機器用の回路電源側を２次側とする変圧トランスである。
【００４０】
トランスＴ１には、交流電源ＡＣ１を整流した電圧について電源制御回路ＩＣ１でスイッチングして得た上記交流パルスが入力される。また、トランスＴ１からは、電源制御回路ＩＣ１用の電源電圧が半波整流ダイオードＤ７及び平滑コンデンサＣ６により整流されて、電源起動・停止回路１１０の端子ｈに出力される。また、トランスＴ１からは、上記電子機器のマイコンＩＣ２を動かすための電源電圧が出力される。この電源電圧は、半波整流ダイオードＤ６及び平滑コンデンサＣ５で整流されて、マイコンＩＣ２に印加される。
【００４１】
次に、図２を参照しながら、本発明による効果について説明する。まず、本発明の主たる特徴であるコンデンサＣ３、フォトカプラＰＣ２、及び電源起動スイッチＳＷ１を有する回路（以下、本回路と呼ぶ）が無い場合について説明する。本回路が具備されていない場合、図２に示す電源装置２００のような回路構成となり、交流電源ＡＣ１に電源スイッチＳＷ２を接続することになる。なお、図２において、抵抗Ｒ９及びダイオードＤ９は、後述する図４の回路構成例に合わせて設けている。
【００４２】
電源装置２００では、電源回路を起動する際、電源スイッチＳＷ２をオンにする。それにより、抵抗Ｒ９及びダイオードＤ９を通じて電源制御回路ＩＣ１の端子ｍ（電源ｐｉｎ  Ｖｃｃ）に電源回路（全波整流ダイオードＤ４）から電圧が供給され、電源制御回路ＩＣ１が起動して内部のＰＷＭが発振を開始し、全波整流ダイオードＤ４からの直流電力を交流電力に変換する。
【００４３】
それによってトランスＴ１の１次側の各巻線に電圧が出力され、半波整流ダイオードＤ７及び平滑コンデンサＣ６で整流された後、端子ｍから電力が安定供給され、電源制御回路ＩＣ１が安定して動作することになる。なお、ダイオードＤ９側から供給される電力では電源制御回路ＩＣ１を起動できるが、電源制御回路ＩＣ１の安定動作を継続できないため、このような回路を用いている。そして、電源制御回路ＩＣ１の安定した動作により、トランスＴ１を介して半波整流ダイオードＤ６と平滑コンデンサＣ５で整流された電圧が出力されるため、マイコンＩＣ２を安定して動作させることができる。
【００４４】
しかしながら、電源装置２００では、電源スイッチＳＷ２が１次側の交流電源ＡＣ１に接続されているため、制御容量を大きくする必要がある。つまり、電源装置２００では、電源回路（全波整流ダイオードＤ４）を完全にオフさせるために、制御容量の大きなＡＣスイッチを必要とする。
【００４５】
一方、本回路が具備された電源装置１００では、電源回路を起動させる際には、電源起動スイッチＳＷ１をオン操作することで、コンデンサＣ３に充電された小容量の電力を利用してフォトカプラＰＣ２がオン状態になる。これにより、電源制御回路ＩＣ１の端子ｍに電圧が供給されて、同様に、電源制御回路ＩＣ１を安定して動作させ、マイコンＩＣ２も安定して動作させることができる。
【００４６】
また、電源装置１００では、電源回路を完全にオフさせる際、マイコンＩＣ２からフォトカプラＰＣ１をオン状態にする。これにより、電源制御回路ＩＣ１の端子ｍに電圧が供給されなくなるため、電源制御回路ＩＣ１の動作を停止させることができる。
【００４７】
このように、電源装置１００では、２次側のコンデンサＣ３に充電された小容量の電力により電源起動を行うため、電源装置２００のように制御容量の大きな電源スイッチを設ける必要がなく、代わりにフォトカプラにより起動させるため、基板上占有するスペースを小さくでき、基板上の回路配置にも自由度があり、容易になる。さらに、電源装置１００では、電源装置２００に設けたような電源スイッチで電源回路の１次側回路への電力供給を遮断する必要がないため、電源装置２００に比べてスイッチオン時の起動時間を極力短くすることができる。
【００４８】
また、電源装置１００では、待機時には電源制御回路ＩＣ１が動作を停止しているため、待機時の電力消費は基本的に１次側起動回路での消費だけとなり、待機電力も大変低く抑えることができる。つまり、電源装置１００の待機時の電力損失は、基本的に１次側起動回路の損失分のみとなるため、待機電力的に有利となる。なお、この効果は、基本的にフォトカプラＰＣ１を具備するか否かに依らない。その他、電源装置１００では、図１の例からも分かるように、少ない部品点数で１次側の起動回路が構成でき、コスト的に有利になる。
【００４９】
このように、本発明によれば、電源回路からの電力を交流変換してトランスを介して２次側に供給するに際し、大きな制御容量の電源スイッチを使用せず且つ追加の回路にコストをかけずに、起動時間を短縮しつつ待機電力を低く抑えることができる。
【００５０】
また、ＹコンデンサＣ１，Ｃ２を設けた場合には、そのＹコンデンサＣ１，Ｃ２からの漏れ電流によって２次側のコンデンサＣ３に伝達された電力で１次側の電源制御回路ＩＣ１を起動させるため、容易に安全規格で規定された数値内に抑えつつＥＭＩ対策も施すことができるようになる。また、ＹコンデンサＣ１，Ｃ２を設けた場合でも、電源装置１００の待機時の電力損失はＹコンデンサＣ１，Ｃ２の伝送ロスと１次側起動回路の損失分のみとなるため、待機電力を大変低く抑えることができる。
【００５１】
次に、図１の電源装置１００に設ける電源起動・停止回路１１０の具体例について、図３及び図４を参照しながら説明する。図３は、図１の電源装置における主に電源起動・停止回路の部分の一構成例を示す回路図で、図４は、図１の電源装置における電源起動・停止回路の詳細な構成例及び電源制御回路の内部構成例を示す回路図である。
【００５２】
図３に示すように、電源起動・停止回路１１０には、ダイオード１１１、ダイオード１１２、スイッチ素子１１３、及びレギュレータ（ＲＥＧ）１１４が設けられている。スイッチ素子１１３は、フォトカプラＰＣ１からの動作停止信号を受けて開かれ、フォトカプラＰＣ２からの動作起動信号を受けて閉じられる。ＲＥＧ１１４は、スイッチ素子１１３に接続されると共に、電源制御回路ＩＣ１に出力する電源電圧を一定に保つ回路である。
【００５３】
電源制御回路ＩＣ１への電力は、全波整流ダイオードＤ４からダイオード１１１を介して供給されるか、若しくはトランスＴ１からダイオード１１２を介して供給されるかのいずれかとなっている。そして、フォトカプラＰＣ２、フォトカプラＰＣ１がオン状態になることによって、スイッチ素子１１３により電源制御回路ＩＣ１への電力供給がそれぞれオン、オフされる。ここで、スイッチ素子１１３によるオン、オフは、フォトカプラＰＣ２，ＰＣ１からの信号が停止した後も保持される構造となっている。オン時には、ＲＥＧ１１４によって電源電圧は、電源制御回路ＩＣ１に適した一定の電圧となり、電源制御回路ＩＣ１に供給される。
【００５４】
図４で例示する電源起動・停止回路１１０は、抵抗Ｒ３〜Ｒ１０、ダイオードＤ８〜Ｄ１０、コンデンサＣ７、定電圧ダイオードＺ１、及びトランジスタｐｎｐ１，ｎｐｎ２，ｎｐｎ３を有する。ここで、トランジスタの型は記号で示している。なお、図４では、各素子の抵抗値、電圧値、静電容量などを図示しているが、単なる一例に過ぎず、これに限ったものではない。
【００５５】
この電源起動・停止回路１１０は、具体的な素子間の配線については図４の通りであり説明しないが、３つのトランジスタトランジスタｐｎｐ１，ｎｐｎ２，ｎｐｎ３の状態は、フォトカプラＰＣ２，ＰＣ１からの信号が停止した後も保持される構造となっており、電源制御回路ＩＣ１の起動／停止の際に、以下のように動作する。
【００５６】
まず、電源制御回路ＩＣ１を起動させる際について説明する。起動させる前は、停止させた状態として後述するように、トランジスタｐｎｐ１，ｎｐｎ２がオン状態、トランジスタｎｐｎ３がオフ状態となっている。そのような待機状態で、電源起動スイッチＳＷ１がオン操作され所定時間オンのパルスが出力されることでフォトカプラＰＣ２が一時的にオン状態になると、電源起動・停止回路１１０では、トランジスタｎｐｎ２がオフ状態となるため、トランジスタｐｎｐ１がオフ状態になり、トランジスタｎｐｎ３がオン状態になる。トランジスタｎｐｎ３がオン状態になることで、電源制御回路ＩＣ１の端子ｍに電圧が供給され、電源制御回路ＩＣ１が起動して内部のＰＷＭが発振を開始し、電源制御回路ＩＣ１を安定して動作させることができる。
【００５７】
次に、電源制御回路ＩＣ１を完全に停止させる際について説明する。停止させる前は、起動させた状態として上述したように、トランジスタｐｎｐ１，ｎｐｎ２がオフ状態、トランジスタｎｐｎ３がオン状態となっている。そのような起動状態（電力供給状態）で、マイコンＩＣ２から動作停止信号（所定時間オンのパルス）を伝送することでフォトカプラＰＣ１が一時的にオン状態になると、電源起動・停止回路１１０では、トランジスタｎｐｎ２がオン状態になり、トランジスタｐｎｐ１がオン状態になるため、トランジスタｎｐｎ３がオフ状態となる。トランジスタｎｐｎ３がオフ状態になることで、電源制御回路ＩＣ１の端子ｍに電圧が供給されなくなるため、電源制御回路ＩＣ１の動作を停止させることができる。
【００５８】
次に、上述したような電源装置を備えたテレビ装置やその他の電子機器について簡単に説明する。ここでは、テレビ装置の一構成例について説明する。テレビ装置は、表示部、スピーカ部、チューナ部等を備え、チューナ部で受信した放送信号のうち、映像信号が示す映像をその表示部に表示させ、音声信号が示す音声をスピーカ部から出力するように構成されている。なお、表示部は、液晶パネルのように非自発光型の表示パネルを有する場合、バックライト装置も有することになる。そして、このテレビ装置には、上述した図１の電源装置１００を備え、制御部としてのマイコンＩＣ２が設けられている。このテレビ装置では、表示部、スピーカ部、チューナ部などの電源供給が必要な部位に対し、マイコンＩＣ２が稼働した状態で電源装置１００の例えば上記電源回路から電源が供給されるように構成しておけばよい。
【００５９】
（第２の実施形態）
本発明の第２の実施形態として、ダイオードＤ５によってコンデンサＣ３を充電する例について説明する。
【００６０】
図１の例におけるコンデンサＣ３は、待機時には第１の実施形態で説明したようにして１次側からの漏れ電流で充電されるが、電子機器の起動後は、ダイオードＤ５を介してトランスＴ１から供給される電力によって充電されるように構成されている。
【００６１】
ダイオードＤ５は、ＹコンデンサＣ１，Ｃ２からのコンデンサＣ３への充電を補助するために設けられている。無論、ダイオードＤ５を設けない構成も考えられるが、ダイオードＤ５が無い場合、ＹコンデンサＣ１，Ｃ２からの充電は時間がかかるため、コンデンサＣ３が充分に充電されていない状態では、電源起動スイッチＳＷ１をオン操作しても電源を再起動できず、コンデンサＣ３が漏れ電流で充電されるまで待たなければならない。コンデンサＣ３が充分に充電されていない状態は、例えば、この電源装置１００に交流電源ＡＣ１を接続して電源装置１００を起動させ、且つ起動直後にフォトカプラＰＣ１をオン状態にして電源を停止させた場面で起こり得る。
【００６２】
それに対し、ダイオードＤ５を設けることで、半波整流ダイオードＤ６及び平滑コンデンサＣ５から供給される電荷で、短時間での再起動時においても直ぐにコンデンサＣ３が充電されるため、このような場面でも直ぐに電源起動スイッチＳＷ１での電源再起動が可能となる。
【００６３】
但し、このような場面を除けば、喩えダイオードＤ５を設けない構成であっても、特許文献１に記載の技術のように電源スイッチを入れてから２次側の立上りまでに時間がかかることはないため、起動時間を短縮することは可能である。
【００６４】
（第１、第２の実施形態について）
以上説明したように、本発明に係る電源装置は、交流電源に接続され交流を直流に変換する電源回路と、上記電源回路からの電力を交流変換しトランスを介して２次側に供給する制御を行う電源供給制御回路と、を備えた電源装置であって、上記交流電源により充電されるコンデンサと、上記コンデンサの電力によって上記電源供給制御回路をオン状態にする１次側と上記２次側との間にまたがるフォトカプラと、上記フォトカプラと上記コンデンサとの間に接続され、オン操作により上記フォトカプラをオン状態にする電源起動スイッチと、を上記２次側に備えたことを特徴としたものである。これにより、電源回路からの電力を交流変換してトランスを介して２次側に供給する電源装置において、大きな制御容量の電源スイッチを使用せず且つ追加の回路にコストをかけずに、起動時間を短縮しつつ待機電力を低く抑えることができる。
【００６５】
また、上記電源装置は、上記交流電源に接続されたＹコンデンサをさらに備え、上記Ｙコンデンサの漏れ電流により上記コンデンサを充電することが好ましい。これにより、ＥＭＩ対策を施しつつ、その漏れ電流を上記コンデンサの充電に利用することができる。
【符号の説明】
【００６６】
１００…電源装置、１１０…電源起動・停止回路、１１１，１１２…ダイオード、１１３…スイッチ素子、１１４…ＲＥＧ、ＡＣ１…交流電源、Ｃ１，Ｃ２…Ｙコンデンサ、Ｃ３…コンデンサ、Ｃ４，Ｃ５，Ｃ６…平滑コンデンサ、Ｄ１，Ｄ２，Ｄ５，Ｄ６，Ｄ７…ダイオード、Ｄ３…定電圧ダイオード、Ｄ４…全波整流ダイオード、ＩＣ１…電源制御回路、ＩＣ２…マイコン、ＰＣ１，ＰＣ２…フォトカプラ、Ｒ１…抵抗、ＳＷ１…電源起動スイッチ、Ｔ１…トランス。
【図１】
2015188287.tif 000003
【図２】
2015188287.tif 000004
【図３】
2015188287.tif 000005
【図４】
2015188287.tif 000006
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
交流電源に接続され交流を直流に変換する電源回路と、該電源回路からの電力を交流変換しトランスを介して２次側に供給する制御を行う電源供給制御回路と、を備えた電源装置であって、
前記交流電源により充電されるコンデンサと、該コンデンサの電力によって前記電源供給制御回路をオン状態にする１次側と前記２次側との間にまたがるフォトカプラと、該フォトカプラと前記コンデンサとの間に接続され、オン操作により前記フォトカプラをオン状態にする電源起動スイッチと、を前記２次側に備え、
前記交流電源に接続されたＹコンデンサをさらに備え、該Ｙコンデンサの漏れ電流により前記コンデンサを充電することを特徴とする電源装置。
【請求項２】
オン状態にすることで、前記電源供給制御回路をオフ状態にする他のフォトカプラをさらに備えたことを特徴とする請求項１に記載の電源装置。
【請求項３】
請求項１又は２に記載の電源装置を備えたテレビ装置。
【請求項４】
請求項１又は２に記載の電源装置を備えた電子機器。
【手続補正２】
【補正対象書類名】明細書
【補正対象項目名】００１１
【補正方法】変更
【補正の内容】
【００１１】
上記の課題を解決するために、本発明の第１の技術手段は、交流電源に接続され交流を直流に変換する電源回路と、該電源回路からの電力を交流変換しトランスを介して２次側に供給する制御を行う電源供給制御回路と、を備えた電源装置であって、前記交流電源により充電されるコンデンサと、該コンデンサの電力によって前記電源供給制御回路をオン状態にする１次側と前記２次側との間にまたがるフォトカプラと、該フォトカプラと前記コンデンサとの間に接続され、オン操作により前記フォトカプラをオン状態にする電源起動スイッチと、を前記２次側に備え、前記交流電源に接続されたＹコンデンサをさらに備え、該Ｙコンデンサの漏れ電流により前記コンデンサを充電することを特徴としたものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明の第２の技術手段は、第１の技術手段において、オン状態にすることで、前記電源供給制御回路をオフ状態にする他のフォトカプラをさらに備えたことを特徴としたものである。
【手続補正５】
【補正対象書類名】明細書
【補正対象項目名】００１４
【補正方法】変更
【補正の内容】
【００１４】
本発明の第３の技術手段は、第１又は第２の技術手段における電源装置を備えたテレビ装置である。
本発明の第４の技術手段は、第１又は第２の技術手段における電源装置を備えた電子機器である。